(57)【要約】【課題】  広告媒体が顧客の手に渡る確率の高い設置店を決定すること。【解決手段】  広告媒体の設置先決定装置は、配付物を設置するための設置店に関する設置店情報を記憶する設置店情報記憶手段（Ｓ２１）と、設置店情報は、設置店の地域、来客者の年齢層、過去の設置量を少なくとも含み、設置店の地域、来客者の年齢層、過去の設置量の少なくとも１つを検索要素として指定する検索要素指定手段（Ｓ２２）と、指定された検索要素に従って、設置店情報記憶手段に記憶された設置店情報を検索して設置対象となる設置店を抽出する抽出手段（Ｓ２３）と、配付物ごとに抽出された設置店を関連付けて出力する出力手段（Ｓ２４）とを備える。【選択図】        図５
2005135254.tif 000002
【特許請求の範囲】
【請求項１】
広告媒体を設置するための設置店に関する設置店情報を記憶する設置店情報記憶手段と、
前記設置店情報は、設置店の地域、来客者の年齢層、過去の設置量を少なくとも含み、
設置店の地域、来客者の年齢層、過去の設置量の少なくとも１つを検索要素として指定する検索要素指定手段と、
前記指定された検索要素に従って、前記設置店情報記憶手段に記憶された設置店情報を検索して設置対象となる設置店を抽出する抽出手段と、
前記広告媒体ごとに前記抽出された設置店を関連付けて出力する出力手段とを備えた、広告媒体の設置先決定装置。
【請求項２】
設置店の顧客に提供するための提供情報を、予め準備した複数の候補の中から選択するステップと、
広告主を広告するための広告情報を決定するステップと、
前記選択された提供情報と前記決定された広告情報とを含み、前記広告情報を前記提供情報の後の頁とした広告媒体を作成するステップと、
設置店の地域、来客者の年齢層、過去の設置量を少なくとも含む、設置店に関する設置店情報を記憶したコンピュータに、
設置店の地域、来客者の年齢層、過去の設置量の少なくとも１つを検索要素として指定するステップと、
前記指定された検索要素に従って、前記設置店情報記憶手段に記憶された設置店情報を検索して設置対象となる設置店を抽出するステップと、
前記広告媒体ごとに前記抽出された設置店を関連付けて出力するステップとを実行させ、
前記出力された設置店に前記作成された広告媒体を設置するステップとを含む、広告媒体の設置方法。
【発明の詳細な説明】
【技術分野】
【０００１】
この発明は、広告媒体の設置先決定装置および広告媒体の設置方法に関し、特に、予め広告媒体の設置を契約した設置店のうちから広告媒体に適した設置店を決定するための広告媒体の設置先決定装置および広告媒体の設置方法に関する。
【背景技術】
【０００２】
従来、複数の店舗の広告を印刷した広告媒体が無償で路行く人に手渡されている。この種の広告媒体には、複数の店舗の広告に加えて、発行者が作成した独自の情報が掲載されているものがある。そのような広告媒体を受取る人は、印刷された広告情報から店舗の情報が得られるだけでなく、発行者作成の独自の情報を得ることができる。人によっては、発行者作成の独自の情報を得たいために、広告媒体を受取る人がいる。
【０００３】
なお、以上本発明についての従来技術を、出願人の知得した一般的技術情報に基づいて説明したが、出願人の記憶する範囲において、出願前までに先行技術情報として開示すべき情報を出願人は有していない。
【発明の開示】
【発明が解決しようとする課題】
【０００４】
従来の広告媒体は、複数店舗の広告情報が印刷されているため、広告媒体を受取った人は複数の広告情報を読むことになるが、全ての広告情報が読まれるとは限らず、広告主は、広告媒体の配付部数から有効に広告されているか否かを判断することができない。
【０００５】
また、従来の広告媒体は、配付部数を多くすることを目的としているため、人通りの多い場所に設置されたり、そのような場所で手渡しされるため、広告媒体を受取る人を限定するものではない。このため、年齢、性別などを問わず配付されるため、広告主にとっては、自店の客層に絞って広告媒体を手渡すことができない。
【０００６】
この発明は上述した問題点を解決するためになされたもので、この発明の目的の１つは、広告媒体が広告主の顧客の手に渡る確率の高い設置店を決定することが可能な広告媒体の設置先決定装置を提供することである。
【０００７】
この発明の他の目的は、広告媒体が広告主の顧客の手に渡る確率の高い設置店に広告媒体を設置することが可能な広告媒体の設置方法を提供することである。
【課題を解決するための手段】
【０００８】
上述した目的を達成するためにこの発明のある局面によれば、広告媒体の設置先決定装置は、広告媒体を設置するための設置店に関する設置店情報を記憶する設置店情報記憶手段と、設置店情報は、設置店の地域、来客者の年齢層、過去の設置量を少なくとも含み、設置店の地域、来客者の年齢層、過去の設置量の少なくとも１つを検索要素として指定する検索要素指定手段と、指定された検索要素に従って、設置店情報記憶手段に記憶された設置店情報を検索して設置対象となる設置店を抽出する抽出手段と、広告媒体ごとに抽出された設置店を関連付けて出力する出力手段とを備える。
【０００９】
この発明に従えば、設置店の地域、来客者の年齢層、過去の設置量の少なくとも１つを検索要素として設置店情報を検索して、設置対象となる設置設置店が抽出され、広告媒体ごとに抽出された設置店が関連付けて出力される。このため、広告媒体が広告主の顧客の手に渡る確率の高い設置店を決定することが可能な広告媒体の設置先決定装置を提供することができる。
【００１０】
この発明の他の局面によれば、広告媒体の設置方法は、設置店の顧客に提供するための提供情報を、予め準備した複数の候補の中から選択するステップと、広告主を広告するための広告情報を決定するステップと、選択された提供情報と決定された広告情報とを含み、広告情報を提供情報の後の頁とした広告媒体を作成するステップと、設置店の地域、来客者の年齢層、過去の設置量を少なくとも含む、設置店に関する設置店情報を記憶したコンピュータに、設置店の地域、来客者の年齢層、過去の設置量の少なくとも１つを検索要素として指定するステップと、指定された検索要素に従って、設置店情報記憶手段に記憶された設置店情報を検索して設置対象となる設置店を抽出するステップと、広告媒体ごとに抽出された設置店を関連付けて出力するステップとを実行させ、出力された設置店に作成された広告媒体を設置するステップとを含む。
【００１１】
この発明に従えば、設置店の顧客に提供するための提供情報が予め準備した複数の候補の中から選択され、提供情報と広告情報とを含み、広告情報を提供情報の後の頁とした広告媒体が作成される。このため、設置店にも広告主にも有効な広告媒体を作成することができる。そして、設置店の地域、来客者の年齢層、過去の設置量の少なくとも１つを検索要素として設置店情報を検索して設置対象となる設置店が抽出され、広告媒体が設置店と関連付けられて出力され、出力された設置店に広告媒体が設置される。このため、広告媒体が広告主の顧客の手に渡る確率の高い設置店に広告媒体を設置することが可能な広告媒体の設置方法を提供することができる。
【発明を実施するための最良の形態】
【００１２】
以下、図面を参照しつつ本発明の実施の形態について説明する。以下の説明では、同一の部品には同一の符号を付してある。それらの名称および機能も同じである。したがってそれらについての詳細な説明は繰返さない。
【００１３】
図１は、本発明の実施の形態の１つにおける設置先決定システムの全体概要を示す図である。図１を参照して、設置先決定システム１は、ネットワーク６にそれぞれ接続された設置先決定装置２と、プリンタ３と、通信装置４と、携帯端末５とを含む。
【００１４】
設置先決定装置２は、一般的なパーソナルコンピュータである。そのハード構成は周知であるので、ここでは説明を繰返さない。設置先決定装置２には、ＣＤ−ＲＯＭ（Compact Disc Read Only Memory）が装着される。ＣＤ−ＲＯＭに記録された設置先決定プログラムは、ＣＤ−ＲＯＭドライブ等により読取られてハードディスクに一旦格納される。さらにハードディスクからランダムアクセスメモリ（ＲＡＭ）に読出されてＣＰＵ（Central Processing Unit）により実行される。
【００１５】
プリンタ３は、画像形成装置であり、設置先決定装置２から出力される配付先リストを、用紙等の記録媒体に画像を形成する。
【００１６】
通信装置４は、設置先決定装置２から出力される配付先リストデータを受信し、携帯端末５に無線で送信する。なお、通信装置４と携帯端末５との間の通信は、無線に限らず、有線で有っても良い。
【００１７】
携帯端末５は、通信装置４と通信して、設置先決定装置２から出力される配付先リストデータを受信する。携帯端末５は、携帯型のコンピュータであり、液晶表示装置等のディスプレイ５１と、テンキーなどの入力装置５２とを備える。携帯端末５は、配付物を設置店に設置する担当者により携帯されて用いられる。携帯端末５では、それに搭載されたプログラムがＣＰＵで実行されると、次の処理が実行される。
【００１８】
（１）  設置先決定装置２から出力される配布先リストデータを受信してＲＡＭ等に記憶する処理。
【００１９】
（２）  記憶された配付先リストデータを配付物毎に読出してディスプレイに配布先リストを表示する処理。
【００２０】
（３）  配付物の設置が完了時点で完了情報を入力する処理。完了情報は、配付物毎に配付物を設置した年月日、店舗名、設置部数を含む。
【００２１】
（４）  完了情報を設置先決定装置２へ通信装置４を介して送信する処理。
【００２２】
ネットワーク６は、ローカルエリアネットワーク（ＬＡＮ）、インターネットまたは一般公衆回線等である。なお、本実施の形態においては、設置先決定装置２と、プリンタ３および通信装置４をネットワーク６で接続する例を示すが、有線に限らず無線で有っても良く、さらに、シリアル回線またはパラレル回線で直接接続するようにしてもよい。
【００２３】
なお、設置先決定装置２で実行される設置先決定プログラムはＣＤ−ＲＯＭに記憶されて流通する例を示したが、他の記録媒体、たとえば、フレキシブルディスク、カセットテープ、ハードディスク、光ディスク（ＭＯ（Magnetic Optical Disc）／ＭＤ（Mini Disc）／ＤＶＤ（Digital Versatile Disc））、ＩＣカード（メモリカードを含む）、光カード、マスクＲＯＭ、ＥＰＲＯＭ（erasable, programmable read-only memory）、ＥＥＰＲＯＭ（electrically erasable/programable read only memory）などの半導体メモリ等の固定的にプログラムを担持する媒体でもよい。
【００２４】
また、ここでいうプログラムは、ＣＰＵにより直接実行可能なプログラムだけでなく、ソースプログラム形式のプログラム、圧縮処理されたプログラム、暗号化されたプログラム等を含む概念である。
【００２５】
図２は、本実施の形態における設置先決定システム１で、設置の対象となる配付物の一例を示す図である。この配付物６０は、設置店に設置される広告媒体である。図６０を参照して、配付物６０は、４枚の同一サイズの用紙６１〜６４が重ねられる。各用紙は、中心線で２分割され、その分割線で二つ折りにされる。そして、分割線に沿ってホッチキスなどの結合部材で互いに結合されて、１６頁からなる冊子状とされる。すなわち、各用紙６１〜６４は、表裏面それぞれに左右２頁分の情報が印刷されている。例えば、用紙６１は、表面の右側半分６１Ａが第１頁でその左側半分６１Ｄが第１６頁となり、裏面の右側半分６１Ｃが第１５頁でその左側半分６１Ｂが第２頁となる。配付物６０の１頁当りのサイズは、Ａ７サイズである。
【００２６】
この配付物６０の第１頁〜第１４頁まで、または、第１頁から第１５頁は、設置店の顧客に提供するための提供情報が印刷され、第１５頁および第１６頁、または第１６頁には、広告主の広告情報が印刷される。すなわち、配付物６０は、１つの店の広告情報のみが第１６頁、または第１５頁および第１６頁に印刷される。提供情報は、広告主とは関連のない情報であり、配付物６０が設置される店舗の顧客に提供するための情報である。提供情報は、また、予め複数が準備されており、広告主がそれらの中から選択して決定される。広告情報は、広告主の店舗を広告するための情報である。したがって、配付物６０が設置された店舗の顧客は、配付物６０の提供情報を見ることを目的として、その配付物を入手することができる。また、配付物６０の最終の第１５頁または第１５頁および第１６頁には、広告情報が印刷されているので、その配付物を入手した顧客に対して、広告情報を提供することができる。
【００２７】
配付物６０の設置場所は、設置店内であれば良いが、レジスタの近辺が好ましい。配付物６０は、１頁当りのサイズがＡ７サイズ程度で小さいために大きな設置スペースを必要としない。このため、レジスタの横に設置したとしても会計作業の邪魔になることはない。むしろ、会計作業を待っている顧客の待ち時間中に配付物６０を顧客が手にすることができるので、待ち時間を有効に利用してもらうことができる。
【００２８】
また、配付物６０は、人が携帯しやすい大きさであるのが好ましい。携帯しやすい大きさは、好ましくは、１頁がＡ７サイズである。この大きさであれば、人が片手に持って、頁をめくることができ、携帯しながら閲覧するのに便利である。
【００２９】
図３は、本実施の形態における設置先決定装置２に記憶される設置店情報の一例を示す図である。図３を参照して、設置店情報は、設置店の屋号と、屋号読みと、支店名と、業種と、営業時間と、休業日と、年齢層と、客層と、店雰囲気と、過去の設置量と、郵便番号と、住所１とを含む。
【００３０】
設置店情報は、配布物を設置する店に関する情報である。設置店の開拓担当者が、選択して設置店を決定する。決定された設置店の責任者から配付物を設置することに合意が得られた場合に、設置店情報が設置先決定装置２に設置店情報が登録される。設置店情報のうち年齢層、客層、店雰囲気は、設置店の顧客の種類に関する情報であり、これらの情報は、開拓担当者が、設置店を評価して、登録時にそれらの評価結果に基づいて登録する。過去の設置数は、配付物を設置する担当者が携帯端末５に入力した設置部数に基づいて、算出される。したがって、過去の設置量は、携帯端末５から完了情報が受信された後に、登録される。また、完了情報が入力される毎に更新するようにしてもよい。
【００３１】
図４は、本実施の形態における設置先決定システム１で実行される配付処理の流れを示すフローチャートである。図４を参照して、配付処理では、まず配付物６０に印刷する提供情報が選択される（ステップＳ０１）。提供情報は、予め複数種類が準備されており、それらの中から広告主が選択する。そして、広告情報が決定される（ステップＳ０２）。広告情報は、その内容を広告主が決定する。
【００３２】
そして、ステップＳ０１で選択された提供情報と、ステップＳ０２で決定された広告情報とを印刷して、配付物６０が作成される（ステップＳ０３）。
【００３３】
つぎに、作成された配付物６０を設置するための設置先が決定される（ステップＳ０４）。そして、配付物６０に関連付けて設置先を列挙した設置先リストが出力され、出力された設置先リストに基づいて、配付物６０が携帯端末５を携帯する設置担当者により設置店に設置される（ステップＳ０５）。
【００３４】
図５は、図４のステップＳ０４で実行される設置先決定処理の流れを示すフローチャートである。この設置先決定処理は、設置先決定装置２で実行される処理である。図５を参照して、設置店情報が設置先決定装置２に入力される（ステップＳ２１）。開拓担当者が、設置先決定装置２に設置店情報を入力する。入力された設置店情報は、設置先決定装置２のハードディスク等の記憶装置に記憶される。設置店情報は、複数が記憶される。
【００３５】
そして、検索要素が入力される（ステップＳ２２）。設置店の地域、来客者の年齢層、過去の設置量の少なくとも１つを検索要素とすることができる。検索要素は、広告主が配付物を設置する店を絞りこむための検索キーである。これにより、広告主の顧客となる可能性のある潜在的な顧客が多く来店する設置店を決定することができる。このため、広告主の顧客となる可能性のある人が配付物を渡す可能性が高くなるので、配付物を効率的に配付することができる。配付物を入手して欲しい人は、広告主の店などの顧客である。このため、広告主の顧客と設置店の顧客が、地域および年齢層で共通することが望ましい。このため、検索要素は、広告主の顧客と同じ地域を行動する人、年齢層とするのが好ましい。
【００３６】
そして、検索要素を検索キーにして設置店情報を検索して、条件に合致する設置店情報を抽出する（ステップＳ２３）。抽出された設置店情報を列挙した設置店リストデータが、配付物６０毎に出力される（ステップＳ２４）。この出力は、設置店リストをプリンタ３からプリント出力してもよいし、設置店リストデータを通信装置４を介して携帯端末５に送信するようにしてもよい。
【００３７】
以上説明したように、本実施の形態における設置店決定システムにおいては、設置店の地域、来客者の年齢層、過去の設置量の少なくとも１つを検索要素として設置店情報を検索して、設置対象となる設置設置店を決定するので、広告主の顧客に配付物６０が手に渡る確率が高い設置店を決定することができる。このため、配付物６０を効率的に設置することができる。
【００３８】
また、設置店の顧客に提供するための提供情報が予め準備した複数の候補の中から選択され、提供情報と広告情報とを含み、広告情報を提供情報の後の頁とした配付物６０が作成される。このため、設置店にも広告主にも有効な配付物を作成することができる。また、配付物６０は、広告主だけの広告情報が印刷されるため、配付物６０が配付された数から、広告による効果を評価することができる。
【００３９】
設置店情報の過去の配布量は、配付担当者が配付物６０を設置するごとに携帯端末５に入力するため、配付するごとのデータが設置先決定装置２に入力される。このため、配付物６０を設置する毎に、設置店情報の過去の設置量が更新されるので、配付物６０が配付された数を記憶しておくことができる。また、この配付数を分析して、季節ごと、月毎、または日毎に、配付される部数の傾向を把握して配付物６０を設置するようにすれば、さらに効率的に配付物を広告主の顧客に提供することができる。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４１】
【図１】本発明の実施の形態の１つにおける設置先決定システムの全体概要を示す図である。
【図２】本実施の形態における設置先決定システム１で、設置の対象となる配付物の一例を示す図である。
【図３】本実施の形態における設置先決定装置に記憶される設置店情報の一例を示す図である。
【図４】本実施の形態における設置先決定システムで実行される配付処理の流れを示すフローチャートである。
【図５】図４のステップＳ０４で実行される設置先決定処理の流れを示すフローチャートである。
【符号の説明】
【００４２】
１  設置先決定システム、２  設置先決定装置、３  プリンタ、４  通信装置、５  携帯端末、６  ネットワーク、５１  ディスプレイ、５２  入力装置、６０  配付物。
【図１】
2005135254.tif 000003
【図２】
2005135254.tif 000004
【図３】
2005135254.tif 000005
【図４】
2005135254.tif 000006
【図５】
2005135254.tif 000007